【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
複数の光学的黒領域を有する撮像素子から得られた画素データから、前記画素データに含まれる周期的なビートノイズ成分を除去する画像処理装置であって、
前記撮像素子の駆動の状態に応じて、前記複数の光学的黒領域の中から、少なくともいずれかの光学的黒領域を指定する指定手段と、
前記ビートノイズ成分の周期で、前記指定手段にて指定された光学的黒領域から得られる複数の画素データを複数の積分手段に振り分ける振り分け手段と、
前記複数の積分手段における積分結果から、前記撮像素子から得られる画素データに含まれる周期的なビートノイズ成分を示す複数のノイズデータを求めるノイズ検出手段と、
前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正手段と、を備えることを特徴とする画像処理装置。
【請求項２】
前記複数の光学的黒領域は、前記有効画素領域に対して、前記撮像素子の画素データを読み出すラインに水平である方向に位置する水平光学的黒領域と、前記有効画素領域に対して、前記撮像素子の画素データを読み出すラインに垂直である方向に位置する垂直光学的黒領域であることを特徴とする請求項１に記載の画像処理装置。
【請求項３】
前記指定手段は、前記撮像素子によって静止画が生成される場合には前記水平光学的黒領域および前記垂直光学的黒領域を指定し、前記撮像素子によって動画が生成される場合には前記水平光学的黒領域を指定することを特徴とする請求項２に記載の画像処理装置。
【請求項４】
前記指定手段は、前記撮像素子の有効画素領域と前記垂直光学的黒領域における画素データの間引き間隔が等しければ前記垂直光学的黒領域を指定し、前記撮像素子の有効画素領域と前記水平光学的黒領域における画素データの間引き間隔が等しければ前記水平光学的黒領域を指定することを特徴とする請求項２に記載の画像処理装置。
【請求項５】
前記補正手段は、第１の画像データにおける有効画素領域から得られる各画素データの値から、前記第１の画像データよりも前に得られた第２の画像データから検出されたノイズデータの値を減算することを特徴とする請求項３に記載の画像処理装置。
【請求項６】
前記補正手段は、前記第２の画像データにおけるノイズデータの初期位相と該ノイズデータの周期と前記撮像素子を駆動する１垂直期間とに基づいて、前記第１の画像データの補正に用いるノイズデータの初期位相を算出することを特徴とする請求項５記載の画像処理装置。
【請求項７】
前記補正手段は、前記第１の画像データにかけられるゲインと、前記第２の画像データにかけられるゲインの変化に応じて、前記ノイズ検出手段によって検出したノイズデータにゲインをかけることを特徴とする請求項５または６に記載の画像処理装置。
【請求項８】
指定手段、振り分け手段、ノイズ検出手段、及び補正手段を有し、複数の光学的黒領域を有する撮像素子から得られた画素データから、前記画素データに含まれる周期的なビートノイズ成分を除去する画像処理装置のノイズ除去方法であって、
前記指定手段が、前記撮像素子の駆動の状態に応じて、前記複数の光学的黒領域の中から、少なくともいずれかの光学的黒領域を指定する指定工程と、
前記振り分け手段が、前記ビートノイズ成分の周期で、前記指定工程にて指定された光学的黒領域から得られる複数の画素データを複数の積分手段に振り分ける振り分け工程と、
前記ノイズ検出手段が、前記複数の積分手段における積分結果から、前記撮像素子から得られる画素データに含まれる周期的なビートノイズ成分を示す複数のノイズデータを求めるノイズ検出工程と、
前記補正手段が、前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正工程と、を有することを特徴とする画像処理装置のノイズ除去方法。
【請求項９】
指定手段、振り分け手段、ノイズ検出手段、及び補正手段を有し、複数の光学的黒領域を有する撮像素子から得られた画素データから、前記画素データに含まれる周期的なビートノイズ成分を除去する画像処理装置のノイズ除去方法をコンピュータで実現させるためのプログラムであって、
前記指定手段が、前記撮像素子の駆動の状態に応じて、前記複数の光学的黒領域の中から、少なくともいずれかの光学的黒領域を指定する指定工程と、
前記振り分けが、手段前記ビートノイズ成分の周期で、前記指定工程にて指定された光学的黒領域から得られる複数の画素データを複数の積分手段に振り分ける振り分け工程と、
前記ノイズ検出手段が、前記複数の積分手段における積分結果から、前記撮像素子から得られる画素データに含まれる周期的なビートノイズ成分を示す複数のノイズデータを求めるノイズ検出工程と、
前記補正手段が、前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正工程と、を有することを特徴とするプログラム。
【手続補正２】
【補正対象書類名】明細書
【補正対象項目名】発明の名称
【補正方法】変更
【補正の内容】
【発明の名称】画像処理装置及びそのノイズ除去方法、並びにプログラム
【手続補正３】
【補正対象書類名】明細書
【補正対象項目名】０００１
【補正方法】変更
【補正の内容】
【０００１】
本発明は、静止画や動画を撮影する画像処理装置及びそのノイズ除去方法、並びに前記ノイズ除去方法を実現するためのコンピュータで読み取り可能なプログラムに関する。
【手続補正４】
【補正対象書類名】明細書
【補正対象項目名】０００７
【補正方法】変更
【補正の内容】
【０００７】
本発明は上記従来の問題点に鑑み、ビートノイズの検出精度を向上させて、良好なビートノイズ除去を行うことができる画像処理装置及びそのノイズ除去方法、並びにプログラムを提供することを目的とする。
【手続補正５】
【補正対象書類名】明細書
【補正対象項目名】０００８
【補正方法】変更
【補正の内容】
【０００８】
上記目的を達成するため、本発明の画像処理装置は、複数の光学的黒領域を有する撮像素子から得られた画素データから、前記画素データに含まれる周期的なビートノイズ成分を除去する画像処理装置であって、前記撮像素子の駆動の状態に応じて、前記複数の光学的黒領域の中から、少なくともいずれかの光学的黒領域を指定する指定手段と、前記ビートノイズ成分の周期で、前記指定手段にて指定された光学的黒領域から得られる複数の画素データを複数の積分手段に振り分ける振り分け手段と、前記複数の積分手段における積分結果から、前記撮像素子から得られる画素データに含まれる周期的なビートノイズ成分を示す複数のノイズデータを求めるノイズ検出手段と、前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正手段と、を備えることを特徴とする。
また、本発明の画像処理装置のノイズ除去方法は、複数の光学的黒領域を有する撮像素子から得られた画素データから、前記画素データに含まれる周期的なビートノイズ成分を除去する画像処理装置のノイズ除去方法であって、前記撮像素子の駆動の状態に応じて、前記複数の光学的黒領域の中から、少なくともいずれかの光学的黒領域を指定する指定工程と、前記ビートノイズ成分の周期で、前記指定工程にて指定された光学的黒領域から得られる複数の画素データを複数の積分手段に振り分ける振り分け工程と、前記複数の積分手段における積分結果から、前記撮像素子から得られる画素データに含まれる周期的なビートノイズ成分を示す複数のノイズデータを求めるノイズ検出工程と、前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正工程と、を有することを特徴とする。
また、本発明のプログラムは、複数の光学的黒領域を有する撮像素子から得られた画素データから、前記画素データに含まれる周期的なビートノイズ成分を除去する画像処理装置のノイズ除去方法を実現するための、コンピュータで読み取り可能なプログラムであって、前記撮像素子の駆動の状態に応じて、前記複数の光学的黒領域の中から、少なくともいずれかの光学的黒領域を指定する指定工程と、前記ビートノイズ成分の周期で、前記指定工程にて指定された光学的黒領域から得られる複数の画素データを複数の積分手段に振り分ける振り分け工程と、前記複数の積分手段における積分結果から、前記撮像素子から得られる画素データに含まれる周期的なビートノイズ成分を示す複数のノイズデータを求めるノイズ検出工程と、前記撮像素子の有効画素領域から得られる複数の画素データに含まれるビートノイズ成分の位相と、前記複数のノイズデータにより示されるビートノイズ成分の位相とが一致するように、前記撮像素子の有効画素領域から得られる各画素データの値から、前記ノイズデータの値を減算することで補正する補正工程と、を有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】